(57)【要約】【課題】操作性を維持しクリック率を高める携帯電話用のｗｅｂページ画面を提供可能にすること。【解決手段】  携帯電話を、画面の右上角部分にリンク情報が埋め込まれており、かつ、当該角部分は紙がめくれているような描画として画面を構成する画面構成部１０１、右上角部分以外先頭リンクにフォーカスが移動したか否かを検知するフォーカス移動部１０２およびリンク情報部１０７、先頭リンクにフォーカスが移動したと検知された場合であって、次のボタン操作が上移動ボタンの押下である場合に限り、さらに大きくめくれたように角部分を描画するとともにめくった奥の画面部分には広告内容を描画し、併せて、奥の画面部分にフォーカスを移動するめくれ画面選択部１０４およびめくれ画面表示制御部１０８、として機能させることを特徴とする表示制御プログラム１００。【選択図】図４
2012037988.tif 000002
【特許請求の範囲】
【請求項１】
携帯電話を、
リンク情報が複数埋め込まれて構成された画面であって、画面の右上角部分もしくは左上角部分にもリンク情報が埋め込まれており、かつ、当該角部分は紙がめくれているような描画として画面を構成する画面構成手段、
前記右上角部分もしくは左上角部分以外のリンク箇所であって、表示位置が最も上に位置する先頭リンクにフォーカスが移動したか否かを検知する先頭検知手段、
先頭検知手段により先頭リンクにフォーカスが移動したと検知された場合であって、次のボタン操作が上移動ボタンの押下である場合に限り、さらに大きくめくれたように角部分を描画するとともにめくった奥の画面部分には広告内容を描画し、併せて、奥の画面部分にフォーカスを移動する描画移動制御手段、
として機能させることを特徴とする携帯画面表示制御プログラム。
【請求項２】
奥の画面部分にフォーカスが移動した次のボタン操作が下移動ボタンの押下である場合には、先頭リンクにフォーカスを移動させる制御を行うように機能させることを特徴とする請求項１に記載の携帯画面表示制御プログラム。
【請求項３】
奥の画面部分にフォーカスが移動した次のボタン操作が上移動ボタンの押下である場合には、表示位置が最も下に位置する末尾リンクにフォーカスを移動させる制御を行うように機能させることを特徴とする請求項１または２に記載の携帯画面表示制御プログラム。
【請求項４】
角部分の描画は、めくれの大きさが周期的に変化するような描画となるように機能させることを特徴とする請求項１、２または３に記載の携帯画面表示制御プログラム。
【請求項５】
ｆｌａｓｈにより画面を構成したことを特徴とする請求項１〜４のいずれか一つに記載の携帯画面表示制御プログラム。
【請求項６】
携帯電話の画面表示を制御する方法において、
リンク情報が複数埋め込まれて構成された画面であって、画面の右上角部分もしくは左上角部分にもリンク情報が埋め込まれており、かつ、当該角部分は紙がめくれているような描画として画面を構成する画面構成工程と、
前記右上角部分もしくは左上角部分以外のリンク箇所であって、表示位置が最も上に位置する先頭リンクにフォーカスが移動したか否かを検知する先頭検知工程と、
先頭検知工程で先頭リンクにフォーカスが移動したと検知された場合であって、次のボタン操作が上移動ボタンの押下である場合に限り、さらに大きくめくれたように角部分を描画するとともにめくった奥の画面部分には広告内容を描画し、併せて、奥の画面部分にフォーカスを移動する描画移動制御工程と、
を備えたことを特徴とする携帯画面表示制御方法。
【請求項７】
奥の画面部分にフォーカスが移動した次のボタン操作が下移動ボタンの押下である場合には、先頭リンクにフォーカスを移動させる制御を行うようにしたことを特徴とする請求項６に記載の携帯画面表示制御方法。
【請求項８】
奥の画面部分にフォーカスが移動した次のボタン操作が上移動ボタンの押下である場合には、表示位置が最も下に位置する末尾リンクにフォーカスを移動させる制御を行うようにしたことを特徴とする請求項６または７に記載の携帯画面表示制御方法。
【請求項９】
角部分の描画は、めくれの大きさが周期的に変化するような描画としたことを特徴とする請求項６、７または８に記載の携帯画面表示制御方法。
【請求項１０】
ｆｌａｓｈにより画面を構成したことを特徴とする請求項６〜９のいずれか一つに記載の携帯画面表示制御方法。
【発明の詳細な説明】
【技術分野】
【０００１】
本発明は、携帯電話の画面表示制御プログラムおよび表示制御方法に関し、特に、表示面積や表示技術に制約のある携帯電話の画面において、視覚効果を高めクリック率を上昇させる広告技術を提供可能な携帯画面表示制御プログラムおよび携帯画面表示制御方法に関する。
【背景技術】
【０００２】
携帯電話においては、画面の大きさに制約があるため、ＰＣ（パーソナルコンピュータ）用とは別にｗｅｂページが構築される。特に携帯用のｗｅｂページは画面構成においてもＰＣ用とは異なり、主要な広告や案内ないし企画へのリンクは画面上部に配される。
【０００３】
これは、ＰＣではユーザがマウスを操作してリンク先に一発でたどり着ける（選択可能である）ため、画面レイアウトの自由度は極めて高いのに対し、携帯電話では、上下左右それぞれへの移動ボタンを押下して、選択可能なリンク先すなわちフォーカスを目的のリンク先まで順次移動させる煩雑な操作が必要となるためである。すなわち、ユーザに煩わしさを感じさせない、ひいてはクリック意欲を喪失させないために、画面上部に配置するのである。
【０００４】
しかしながら、従来の技術では以下の問題点があった。
ユーザに煩わしさを感じさせないための画面上部に、主要なリンク、例えばバナー広告を掲載したとしても、そのバナーやリンクに興味のないユーザは、目的のリンク先にたどり着くまで、下移動ボタン等を繰り返し押下する必要があり、依然として煩わしさを感じてしまうという問題点があった。
【０００５】
換言すれば、いくつかのバナーやリンクを画面上部に集中させた場合も、結局のところ、携帯電話ではユーザは複数のリンク先を同時に表示させることができないので、クリックしたいと考えるバナーないしリンク以外が存在すると、操作の煩雑さを解消できないという問題点がある。
【０００６】
ここで、画面最上位置にバナー広告が一つしかない場合であっても、従来では、このバナーをクリックしようと思わないユーザにとっては、下移動ボタンを少なくとも１回は余分に操作せざるを得ず、操作感が損なわれるのには変わりがない。
【０００７】
また、携帯電話では、ＰＣに比してｗｅｂ表示に際して技術的な制約がある。従って、バナー広告なども色を変化させる程度であって、視覚に特に訴えるものでない。すなわち、クリック率の上昇を期待できる携帯電話用のバナーやリンクは構築しにくいという問題点があった。
【先行技術文献】
【特許文献】
【０００８】
【特許文献１】特開２００１−２８９６６３
【特許文献２】特開２００４−２１９１９
【発明の概要】
【発明が解決しようとする課題】
【０００９】
本発明は上記に鑑みてなされたものであって、操作性を維持しクリック率を高める携帯電話用のｗｅｂページ画面を提供可能にすることを目的とする。
【課題を解決するための手段】
【００１０】
請求項１に記載の携帯画面表示制御プログラムは、携帯電話を、リンク情報が複数埋め込まれて構成された画面であって、画面の右上角部分もしくは左上角部分にもリンク情報が埋め込まれており、かつ、当該角部分は紙がめくれているような描画として画面を構成する画面構成手段、前記右上角部分もしくは左上角部分以外のリンク箇所であって、表示位置が最も上に位置する先頭リンクにフォーカスが移動したか否かを検知する先頭検知手段、先頭検知手段により先頭リンクにフォーカスが移動したと検知された場合であって、次のボタン操作が上移動ボタンの押下である場合に限り、さらに大きくめくれたように角部分を描画するとともにめくった奥の画面部分には広告内容を描画し、併せて、奥の画面部分にフォーカスを移動する描画移動制御手段、として機能させることを特徴とする。
【００１１】
すなわち、請求項１にかかる発明は、操作性を維持しクリック率を高める携帯電話用のｗｅｂページ画面を提供できる。具体的には、次の通りである。
【００１２】
まず、ユーザにとっては、通常の携帯サイトの画面であれば、画面上部に配された興味のないリンク先ないしバナー広告も下移動ボタン等の押下によってフォーカスを移動（通過）させる必要があるところ、本発明では、下移動ボタンの押下のみでは角部分のリンク箇所（以降において「めくれ画面部分」と適宜称するものとする）はフォーカス移動せず飛ばされるので、下移動ボタンの押下回数を減らし操作性を維持向上することができる。
【００１３】
一方で、画面の角がめくれているので視覚効果が高く、ユーザに興味を持たせることも可能となる。そしてｗｅｂページの表示直後の画面（サイトに移動直後の画面）ではフォーカスはいずれにも当たっていないが、この初期画面から角部分にフォーカスを移動させようとすると、ユーザは無意識に下移動ボタンを押下する。このとき先頭リンクにフォーカスが移動するため、ユーザはフォーカスを飛ばしてしまったと感じて戻す、すなわち、上移動ボタンを無意識に押下し、めくれ画面部分に自然な操作感でフォーカスを移動させることが可能となる。すなわち、初めてのユーザであっても違和感なくめくれ画面部分にフォーカスを移動させることができる。
【００１４】
また、めくれ画面部分にフォーカスが当たると、大きくめくれるため、さらに興味がそそられ、ユーザの好奇心を維持向上できる。このとき、奥の画面部分には広告内容を表示させるため、いよいよ閲覧意欲が高まり、クリック率を上昇させることが可能となる。バナー広告自体に記された最低限情報と、めくれ画面部分のリンク先の最大限情報との間の中間情報、いわば、「チラみせ」とでもいうべき情報がユーザ心理を刺激し、面積の限られた携帯画面であってもクリック率ひいては広告効果を高めることが可能となる。
【００１５】
なお、本願にいう携帯電話とは、スマートフォンも含まれ、携帯情報端末と表現されるものであっても良いものとする。また、右上角、左上角とは、右上隅、左上隅と言い換えることもできる。紙がめくれてみえるような描画とは、画面の大きさと同一の紙があるとしてその角部分がめくれている描画であって、例えば、紙の裏面が手前に見えるような三角形様ないし円錐形様のめくれを意味する。これは、ページ背景と同色のおもて面とし、適宜印影や濃淡をつけて、また、裏面をおもて面の背景の色調と異ならせて、３次元的な描画とすることにより得られる。
【００１６】
奥の画面部分とは、めくれ画面部分の後ろにあると想定できる画面部分をいう。なお、奥の画面部分のフォーカスは、奥の画面部分のみでなく、めくれ画面部分も含めてフォーカスが移動するような表示（周縁の発光など）としてもよい。また、フォーカスが移動したときには、大きくめくれた描画とするが、その大きさは特に限定されない。
【００１７】
大きくめくれる態様は特に限定されず、角が対向する辺付近までめくれる態様（右角が大きくめくれて画面の左枠近くまでめくれるような態様）であってもよく、さらに大きく、画面下付近までめくれる態様であってもよい。適度に大きくめくれる場合は、画面の下部はめくれずそのままであるので、画面構成を維持しつつ、ユーザがどちらの画面も意識して以降の操作が可能となる。
【００１８】
また、広告内容とは、めくれ画面部分のリンク先へユーザを誘う情報をいい、必ずしも、商業的な狭義の内容に限定されないものとする。例えば、キーワードであったり、うたい文句であったり、簡単な動画（斜め半分の三角形の動画など）であってもよい。すなわち、広告内容とは、リンク先に移動させたいとする側が適宜その内容を設定したものであれば特に限定されない。なお、奥の画面部分にフォーカスが移動しているときに決定ボタン（マルチファンクションキーの中央ボタンなど）を押下すると、リンク先に移動するのはいうまでもない。
【００１９】
請求項２に記載の携帯画面表示制御プログラムは、請求項１に記載の携帯画面表示制御プログラムにおいて、奥の画面部分にフォーカスが移動した次のボタン操作が下移動ボタンの押下である場合には、先頭リンクにフォーカスを移動させる制御を行うように機能させることを特徴とする。
【００２０】
すなわち、請求項２にかかる発明は、自然な操作感で元のページに戻ることができる。なお、このとき、めくれ画面部分の大きさは元に戻すものとする。
【００２１】
請求項３に記載の携帯画面表示制御プログラムは、請求項１または２に記載の携帯画面表示制御プログラムにおいて、奥の画面部分にフォーカスが移動した次のボタン操作が上移動ボタンの押下である場合には、表示位置が最も下に位置する末尾リンクにフォーカスを移動させる制御を行うように機能させることを特徴とする。
【００２２】
すなわち、請求項３にかかる発明は、通常の携帯サイトと同様の操作感を維持する。なお、末尾リンクとは、一画面の構成が縦長であって下にスクロールが必要な場合は、その最も下にあるリンク箇所をいうものとする。
【００２３】
請求項４に記載の携帯画面表示制御プログラムは、請求項１、２または３に記載の携帯画面表示制御プログラムにおいて、角部分の描画は、めくれの大きさが周期的に変化するような描画となるように機能させることを特徴とする。
【００２４】
すなわち、請求項４にかかる発明は、視覚効果を高め、ユーザに一層注目させることが可能となる。なお、この周期的な変化は、フォーカス前はもとより、フォーカス後の大きなめくれ画面部分に周期的な変化を持たせる態様も含むものとする。めくれ画面部分の大きさを滑らかに変化させ、あたかも風にたなびくような描画態様とすると、視覚効果がより高まる。
【００２５】
請求項５に記載の携帯画面表示制御プログラムは、請求項１〜４のいずれか一つに記載の携帯画面表示制御プログラムにおいて、ｆｌａｓｈにより画面を構成したことを特徴とする。
【００２６】
すなわち、請求項５にかかる発明は、簡便に携帯用のｗｅｂページを作成可能となる。
【００２７】
請求項６に記載の携帯画面表示制御方法は、携帯電話の画面表示を制御する方法において、リンク情報が複数埋め込まれて構成された画面であって、画面の右上角部分もしくは左上角部分にもリンク情報が埋め込まれており、かつ、当該角部分は紙がめくれているような描画として画面を構成する画面構成工程と、前記右上角部分もしくは左上角部分以外のリンク箇所であって、表示位置が最も上に位置する先頭リンクにフォーカスが移動したか否かを検知する先頭検知工程と、先頭検知工程で先頭リンクにフォーカスが移動したと検知された場合であって、次のボタン操作が上移動ボタンの押下である場合に限り、さらに大きくめくれたように角部分を描画するとともにめくった奥の画面部分には広告内容を描画し、併せて、奥の画面部分にフォーカスを移動する描画移動制御工程と、を備えたことを特徴とする。
【００２８】
すなわち、請求項６にかかる発明は、操作性を維持しクリック率を高める携帯電話用のｗｅｂページ画面を提供できる。具体的には、次の通りである。
【００２９】
まず、ユーザにとっては、通常の携帯サイトの画面であれば、興味のない画面上部に配されたリンク先ないしバナー広告も下移動ボタン等の押下によってフォーカスを移動（通過）させる必要があるところ、本発明では、下移動ボタン押下のみでは角部分のリンク箇所はフォーカス移動せず飛ばされるので、押下回数を減らし操作性を維持向上することができる。
【００３０】
一方で、画面の角がめくれているので視覚効果が高く、ユーザに興味を持たせることも可能となる。ｗｅｂページの表示直後の画面（サイトに移動直後の画面）ではフォーカスはいずれにも当たっていないが、この初期画面から角部分にフォーカスを移動させようとすると、ユーザは無意識に下移動ボタンを押下する。このとき先頭リンクにフォーカスが移動するため、ユーザはフォーカスを飛ばしてしまったと感じて戻す、すなわち、上移動ボタンを無意識に押下し、めくれ画面部分に自然な操作感でフォーカスを移動させることが可能となる。すなわち、初めてのユーザであっても違和感なくめくれ画面部分にフォーカスを移動させることができる。
【００３１】
また、めくれ画面部分にフォーカスが当たると、大きくめくれるため、さらに興味がそそられ、ユーザの好奇心を維持向上できる。このとき、奥の画面部分には広告内容を表示させるため、いよいよ閲覧意欲が高まり、クリック率を上昇させることが可能となる。バナー広告自体に記された最低限情報と、めくれ画面部分のリンク先の最大限情報との間の中間情報、いわば、「チラみせ」とでもいうべき情報がユーザ心理を刺激し、面積の限られた携帯画面であってもクリック率ひいては広告効果を高めることが可能となる。
【００３２】
請求項７に記載の携帯画面表示制御方法は、請求項６に記載の携帯画面表示制御方法において、奥の画面部分にフォーカスが移動した次のボタン操作が下移動ボタンの押下である場合には、先頭リンクにフォーカスを移動させる制御を行うようにしたことを特徴とする。
【００３３】
すなわち、請求項７にかかる発明は、自然な操作感で元のページに戻ることができる。なお、このとき、めくれ画面部分の大きさは元に戻すものとする。
【００３４】
請求項８に記載の携帯画面表示制御方法は、請求項６または７に記載の携帯画面表示制御方法において、奥の画面部分にフォーカスが移動した次のボタン操作が上移動ボタンの押下である場合には、表示位置が最も下に位置する末尾リンクにフォーカスを移動させる制御を行うようにしたことを特徴とする。
【００３５】
すなわち、請求項８にかかる発明は、通常の携帯サイトと同様の操作感を維持する。
【００３６】
請求項９に記載の携帯画面表示制御方法は、請求項６、７または８に記載の携帯画面表示制御方法において、角部分の描画は、めくれの大きさが周期的に変化するような描画としたことを特徴とする。
【００３７】
すなわち、請求項９にかかる発明は、視覚効果を高め、ユーザに一層注目させることが可能となる。
【００３８】
請求項１０に記載の携帯画面表示制御方法は、請求項６〜９のいずれか一つに記載の携帯画面表示制御方法において、ｆｌａｓｈにより画面を構成したことを特徴とする。
【００３９】
すなわち、請求項１０にかかる発明は、簡便に携帯用のｗｅｂページを作成可能となる。
【発明の効果】
【００４０】
本発明によれば、操作性を維持しクリック率を高める携帯電話用のｗｅｂページ画面を提供可能となる。
【図面の簡単な説明】
【００４１】
【図１】めくれる広告の表示例を説明した図である。
【図２】めくれ画面部分の周期的なめくれ変化の様子を示した概念図である。
【図３】めくれる広告のフォーカス移動の制御概念を示した説明図である。
【図４】本発明の携帯電話表示制御プログラムの機能ブロック図である。
【図５】本発明の携帯画面表示制御方法のフローチャートである。
【図６】携帯電話における従来の広告のフォーカス移動の制御概念を示した説明図である。
【発明を実施するための形態】
【００４２】
本発明は、画面の表示面積の制約や、機能的制約がある携帯電話におけるｗｅｂページ閲覧において、画面右上が周期的にたなびくようにめくれて視覚効果を増し、ユーザに注目させ、フォーカスを当てるとさらに大きくめくれて広告もしくはその一部をみせてクリック率を一層高めるものである。さらに、自然な操作感、無駄なフォーカス移動操作を省くことが可能な画面制御を行うものである。
【００４３】
以下、本発明の実施の形態を図面を参照しながら詳細に説明する。ここでは、本発明の携帯画面表示制御プログラムを携帯電話に適用し、「めくれる広告」が携帯画面の右上に表示される例として携帯画面表示制御方法を説明する。
【００４４】
図１は、めくれる広告の表示例を説明した図である。図２は、めくれ画面部分の周期的なめくれ変化の様子を示した概念図である。図３は、めくれる広告のフォーカス移動の制御概念図を示した説明図である。図４は、本発明の携帯電話表示制御プログラムの機能ブロック図である。図５は、本発明の携帯画面表示制御方法のフローチャートである。図６は、携帯電話における従来の広告のフォーカス移動の制御概念図を示した説明図である。
【００４５】
まず、めくれ画面の表示態様に説明する。
図１（ａ）に示したように、めくれ画面部分とは、画面の右上の角部分にあり、あたかも当該画面が紙であって、紙がめくれているように描画された画面部分をいう。当該ページの背景色調と合わせ、濃淡や印影を適宜つけ、また、裏面（と見なされる、めくれた裏面部分）とコントラストをつけて、３次元的な印象を持たせるようにしている。また、図１（ｂ）に示したようにフォーカスが当たっているときのめくれ画面部分は、さらに大きくめくれた描画としている。
【００４６】
フォーカスが当たっていないとき、めくれ画面部分のめくれの面積は小さいが、このときは、図２に示したように、めくれ画面部分がたなびくように周期的かつ滑らかにめくれの程度が変わるようにしている。本プログラムないし方法では、ｆｌａｓｈ技術により描画制御している。なお、同様なプログラムにＪａｖａも存在するが、ｆｌａｓｈであれば、軽量であり簡便にプログラムができるので、機能制約、表示画面制約の多い携帯電話に特に好ましく、機種間の相違に基づく改変、移植も比較的容易であるという利点がある。
【００４７】
なお、本実施の形態では、フォーカスが当たっていないとき（通常表示）のときのみめくれ画面部分が動くようにしているが、画面右上にフォーカスが当たった「おおめくれ」も同様にたなびくように制御してもよい。
【００４８】
なお、めくれ画面の奥の画面部分には、図１（ｂ）に示したように、広告内容が表示されている。特に、フォーカスが当たっているときには、大きくめくれているので、奥の画面部分の表示面積も大きくなり、広告効果が高くなる。ここでは、「クリックでさらに（遮蔽）をゲット（遮蔽）！！」となっているので、肝心の部分が何かを知りたくなり、クリック率を高めることができる。
【００４９】
その他、このようなチラみせとして、「クリックでさらに（遮蔽）％ＯＦＦ」というようにする態様であっても良い。なお、奥の画面部分は、リンク先の画面の右上の表示部分そのものでも良い。
【００５０】
次にフォーカスの移動制御について、図３を用いて説明する。なお、従来のバナー広告が画面の最上部に位置している場合のフォーカス移動制御を図６に示した。
【００５１】
初期状態、すなわち、当サイトに移動直後にはどのリンクにもフォーカスが当たっていない。ここで下移動ボタンを押下すると、リンク１（先頭リンク）がフォーカスされる。めくれ画面部分にもリンクが張られているが、本発明では、最も位置的に上部にあるめくれ画面部分にフォーカスは当たらず、リンク１にフォーカスが移動するので、従来の上部バナー広告（群）のように、下移動ボタンの押下（場合によっては連続押下）が回避され、ユーザフレンドリーな画面設計となっている。
【００５２】
次に、リンク１にフォーカスが移動した次のボタン操作が上移動ボタンの押下である場合には、めくれ画面部分のめくれを大きくし、奥の画面部分には広告内容を描画し、フォーカスを移動する（図１（ｂ））。なお、この状態から決定ボタンの押下があれば、当然に、この部分に張られているリンク先に移動する。
【００５３】
この「おおめくれ」の状態から、下移動ボタンが押下された場合には、リンク１（先頭リンク）にフォーカスを移動する。また、「おおめくれ」の状態から、上移動ボタンが押下された場合には、リンク３（末尾リンク）にフォーカスを移動する。このようにすれば、通常の操作感を損ねず、広告を見たいときだけ、めくれ画面部分が操作可能となり、利便性が高い。
【００５４】
実際、携帯電話の画面においてフォーカス移動の操作は、圧倒的に上移動ボタンもしくは下移動ボタンの押下であるところ、本発明では通常のフォーカス移動ではめくれ画面部分にフォーカスは移動せず、先頭リンクへのフォーカス移動直後の上移動ボタンの押下の組合せの場合のみ移動する。このときも、下移動ボタンと上移動ボタンしか使用しないので、特別な組合せを気にせずに済む。特に、フォーカスの当たっていない初期画面から下移動ボタンの押下では、先頭リンクに移動するため、ユーザがめくれ画面部分にフォーカスを移動させたいと意識していた場合には、フォーカスが下に移動しすぎたと考え、上移動ボタンを自然に押下し、めくれ画面部分にフォーカス移動が可能となる。一方、めくれ画面部分にフォーカスを移動させたいと考えていなければ、目的のリンク先までフォーカスをそのまま順次移動させるため（下移動ボタンの連続押下）、押下回数が少なくとも１回は低減され操作性が高まる。
【００５５】
なお、初期画面から上移動ボタンを押下した場合にあっては、通常の携帯電話のフォーカス遷移と同様に、リンク３（末尾リンク）へフォーカスが移動する。
【００５６】
次に、携帯画面表示制御プログラムの機能的構成を図４を用いて説明する。表示制御プログラム１００は、画面構成部１０１と、フォーカス移動部１０２と、ボタン押下管理部１０３と、めくれ画面選択部１０４と、先頭リンク選択部１０５と、末尾リンク選択部１０６と、リンク情報部１０７と、めくれ画面表示制御部１０８と、を有する。
【００５７】
画面構成部１０１は、携帯電話の画面で出力すべき画面（ｗｅｂページ）を構成する機能部であって、画面にはリンク情報を複数埋め込む。ここで、画面の右上角部分にもリンク情報が埋め込まれるように構成し、かつ、この角部分は紙がめくれているような描画とする。
【００５８】
フォーカス移動部１０２は、携帯電話の上下左右の移動ボタンの押下に従って、フォーカスを当該方向に移動させ、また、どのリンク箇所にフォーカスが移動しているかを管理する。
【００５９】
ボタン押下管理部１０３は、移動ボタンの押下操作自体と押下履歴を管理する。
【００６０】
めくれ画面選択部１０４は、フォーカス移動部１０２からフォーカス移動先が先頭リンクであるとの通知を受け、また、ボタン押下管理部１０３から次のボタン操作が上移動ボタンの押下であったとの通知を受けた場合に、めくれ画面部分のリンクが選択されたことをめくれ画面表示制御部１０８に通知する。
【００６１】
また、先頭リンク選択部１０５は、フォーカス移動部１０２からフォーカス移動先がめくれ画面部分の奥の画面部分との通知を受け、また、ボタン押下管理部１０３から次のボタン操作が下移動ボタンの押下であったとの通知を受けた場合に、先頭リンクが選択されたことをめくれ画面表示制御部１０８に通知する。
【００６２】
末尾リンク選択部１０６は、フォーカス移動部１０２からフォーカス移動先がめくれ画面部分の奥の画面部分との通知を受け、また、ボタン押下管理部１０３から次のボタン操作が上移動ボタンの押下であったとの通知を受けた場合に、末尾リンクが選択されたことをめくれ画面表示制御部１０８に通知する。
【００６３】
リンク情報部１０７は、フォーカス移動部１０２と共同して、どのリンク箇所にフォーカスがあるかを画面構成部１０１に通知する。これにより、画面構成部１０１では、ブラウザやＯＳ等で設定されたフォーカス方法（画像周縁の発光、変色など）に従った画面を構成する。
【００６４】
めくれ画面表示制御部１０８は、めくれ画面選択部１０４、先頭リンク選択部１０５、末尾リンク選択部１０６からの通知を受けて、めくれ画面部分を大きくめくったり、奥の画面部分に広告表示をしたり、大きくめくれためくれ画面部分を元に戻し、先頭リンクや末尾リンクにフォーカスを移動する制御を行う。
【００６５】
なお、ここで述べた機能ブロック図はこれに限定されず、プログラムの各手段を具現するものであればよい。また、これらの機能は、携帯電話中のＯＳやブラウザ、ｆｌａｓｈ再生機能部分を利用して実現することができる。
【００６６】
最後に、本発明の携帯画面表示制御方法をフローチャートを用いて説明する。まず、先頭リンクにフォーカスが移動したか否かを判定する（ステップＳ１）。フォーカスが先頭リンクに移動したと判定された場合には（ステップＳ１：Ｙｅｓ）、直後の携帯電話の操作が上移動ボタンの押下であるか否かを判定する（ステップＳ２）。なお、フォーカスが先頭リンクに移動したと判定されなかった場合には（ステップＳ１：Ｎｏ）、当該判定を繰り返す。
【００６７】
上移動ボタンの押下である場合には（ステップＳ２：Ｙｅｓ）、めくれ画面部分のめくれを大きくし、かつ、フォーカスを奥の画面部分に移動する（ステップＳ３）。上移動ボタンの押下でない場合には（ステップＳ２：Ｎｏ）、適宜押下されたボタンに付随した処理を実行する（ステップＥ）。
【００６８】
つづいて、ボタンの押下があったか否かを判定する（ステップＳ４）。押下がなかった場合には（ステップＳ４：Ｎｏ）、押下を待ち、押下があった場合には（ステップＳ４：Ｙｅｓ）、当該ボタンが決定ボタンの押下であるかを判定する（ステップＳ５）。
【００６９】
決定ボタンの押下である場合には（ステップＳ５：Ｙｅｓ）、当該リンク先の画面表示を行う（ステップＳ６）。決定ボタンの押下でない場合には（ステップＳ６：Ｎｏ）、下移動ボタンの押下であるか否かを判定する（ステップＳ７）。
【００７０】
下移動ボタンの押下である場合には（ステップＳ７：Ｙｅｓ）、先頭リンクにフォーカスを移動する（ステップＳ８）。下移動ボタンの押下でない場合には（ステップＳ７：Ｎｏ）、上移動ボタンの押下であるか否かを判定する（ステップＳ９）。
【００７１】
上移動ボタンの押下である場合には（ステップＳ９：Ｙｅｓ）、末尾リンクにフォーカスを移動する（ステップＳ１０）。上移動ボタンの押下でない場合には（ステップＳ９：Ｎｏ）、適宜押下されたボタンに付随した処理を実行する（ステップＥ）。
【００７２】
以上の手順ないし工程の推移により、携帯電話を用いたｗｅｂページの閲覧に際し、ユーザの従来の使用感を損ねることなく、必要な場合だけ自然な操作感でめくれ画面部分をフォーカスし、かつ、フォーカスが移動したときには、めくれの程度を大きくしてユーザ心理に訴えクリック率を上昇させることが可能となる。
【００７３】
実際、携帯電話向けのサイトでは、クリック率（フォーカス先リンク押下回数／当該フォーカス移動回数）は、概ね１〜３％とされている。守秘義務を負う者により本発明のめくれる広告が表示された画面を用いてモニタテストを行ったところ、フォーカスをめくれ画面部分に移動させた割合は、概ね１０％〜３０％であり、さらにこのフォーカスをめくれ画面部分に移動させたものが、決定ボタン、すなわち、リンク先への移動を選択した割合は１０％〜２０％であった。従って、クリック率は、概ね１％〜６％であり、従来の広告と同等以上のクリック率となることが確認できた。
【産業上の利用可能性】
【００７４】
同様の技術を利用して、画面右上角、左上角部分だけでなく、画面上辺部分、などをめくり上げるような表示方法を採用することもできる。
【符号の説明】
【００７５】
１００  表示制御プログラム
１０１  画面構成部
１０２  フォーカス移動部
１０３  ボタン押下管理部
１０４  画面選択部
１０５  先頭リンク選択部
１０６  末尾リンク選択部
１０７  リンク情報部
１０８  画面表示制御部
【図１】
2012037988.tif 000003
【図２】
2012037988.tif 000004
【図３】
2012037988.tif 000005
【図４】
2012037988.tif 000006
【図５】
2012037988.tif 000007
【図６】
2012037988.tif 000008